(57)【特許請求の範囲】
【請求項１】
コンテンツ提供サーバが実行するコンテンツ提供方法であって、
前記コンテンツ提供サーバは、ユーザが入力した検索語を受信し、
複数のコンテンツがコンテンツ属性によって分類された複数のグループのうち、前記検索語に該当する複数のグループの各々を、奥行方向に整列された複数のレイヤにマッチングして端末に表示させ、
前記端末において、前記複数のレイヤにマッチングされた複数のグループうち、いずれかが選択されると、前記選択されたグループに属する複数のコンテンツの各々を、前記複数のコンテンツにあらかじめ決定されたランキングに基づいて、前記複数のグループがマッチングされた前記複数のレイヤに再度マッチングして表示させることを含む、コンテンツ提供方法。
【請求項２】
前記複数のグループの各々は、前記複数のグループの各グループに対してあらかじめ決定されたランキングに基づいて、前記奥行方向に整列された複数のレイヤにマッチングされる、請求項１に記載のコンテンツ提供方法。
【発明の詳細な説明】
【技術分野】
【０００１】
本発明は、移動端末にコンテンツを提供する方法およびシステムに関し、複数のコンテンツをユーザが見やすいように移動端末に備えられたディスプレイに提供する方法およびシステムに関する。
【背景技術】
【０００２】
近年、通信技術が発達することによってＤＭＢ（Ｄｉｇｉｔａｌ  Ｍｕｌｔｉｍｅｄｉａ  Ｂｒｏａｄｃａｓｔｉｎｇ））フォン、スマートフォンなどの移動端末上でインターネットの利用はもちろんのこと、放送プログラムを再生できるようにもなった。特に、無線通信によるインターネット接続の技術が発達することによって、移動端末をいつでもどこでもポータルサイトに接続することができ、ポータルサイトはユーザの要求事項に係るコンテンツサービスを移動端末に提供することができるようになった。
【０００３】
さらに、グラフィック技術の発達に助けられ、３Ｄ（Ｄｉｍｅｎｓｉｏｎ）ゲーム、拡張現実方式などが一般化しており、これにより、移動端末に提供されるグラフィックに対するユーザの要求も高まっている。
【０００４】
しかし、従来の移動端末においては、２Ｄグラフィックを用いていたり、移動端末のディスプレイ画面サイズが制限されていたりすることによってユーザが要求する情報を効果的に表示することが難しかった。
【０００５】
したがって、移動端末の表示空間の狭さを解消しながら、ユーザが要求する情報を効果的に提供できる方法が求められている。
【発明の概要】
【発明が解決しようとする課題】
【０００６】
本発明は、複数のコンテンツを複数のレイヤにマッチングすることによって移動端末に備えられた表示空間が狭くても複数のコンテンツ中の全てのコンテンツを効果的に表示するコンテンツ提供方法およびシステム、そしてコンテンツ表示方法および移動端末を提供する。
【０００７】
本発明は、情報が露出される複数のインベントリを複数のレイヤにマッチングすることによって情報の量に関係なく露出しようとする各情報を全て表示するコンテンツ提供方法およびシステム、そしてコンテンツ表示方法および移動端末を提供する。
【０００８】
本発明は、入札価格、ユーザ注目度、および人気度のうち少なくとも１つに基づいて複数のレイヤを整列することによって、入札価格、ユーザ注目度、および人気度のうち少なくとも１つが高い広告を低い広告よりもユーザに見えやすいように表示するコンテンツ提供方法およびシステム、そしてコンテンツ表示方法および移動端末を提供する。
【課題を解決するための手段】
【０００９】
本発明の一実施形態に係るコンテンツ提供方法は、複数のコンテンツ中の各コンテンツを複数のレイヤにマッチングするステップと、前記複数のコンテンツ中の各コンテンツに対して決定されたランキングによって前記複数のレイヤを整列するステップとを含んでもよい。
【００１０】
また、前記整列するステップは、上位ランキングに位置するコンテンツが下位ランキングに位置するコンテンツよりもユーザに見えやすいように前記複数のレイヤを奥行があるように整列してもよい。
【００１１】
また、前記整列するステップは、前記複数のコンテンツをコンテンツ属性によって少なくとも１つのグループに分類して移動端末に表示してもよい。
【００１２】
また、前記整列するステップは、前記移動端末に表示された前記グループのうち選択されたグループに属するコンテンツにマッチングした前記レイヤを整列し、前記整列したレイヤを前記移動端末に表示してもよい。
【００１３】
また、前記整列するステップは、前記コンテンツに対する入札価格、人気度およびユーザ注目度のうち少なくとも１つに基づいて決定されたランキングによって前記複数のレイヤを整列してもよい。
【００１４】
また、前記整列するステップは、前記レイヤに対するユーザの操作に基づいて前記レイヤを再整列し、前記再整列したレイヤを移動端末に表示してもよい。
【００１５】
また、前記マッチングするステップは、前記複数のレイヤを多面体を構成する複数の面の各面にマッチングして、前記マッチングされた複数のレイヤに前記複数のコンテンツをそれぞれマッチングしてもよい。
【００１６】
また、前記整列するステップは、移動端末の動きに基づいて前記複数の面の各面にマッチングしたレイヤを再整列してもよい。
【００１７】
本発明の一実施形態に係るコンテンツ提供システムは、複数のコンテンツ中の各コンテンツを複数のレイヤにマッチングするマッチングと、前記複数のコンテンツ中の各コンテンツに対して決定されたランキングによって前記複数のレイヤを整列する整列部とを含んでもよい。
【００１８】
また、前記整列部は、上位ランキングに位置するコンテンツが下位ランキングに位置するコンテンツよりもユーザに見えやすいように前記複数のレイヤを奥行があるように整列してもよい。
【００１９】
また、前記整列部は、前記複数のコンテンツをコンテンツ属性によって少なくとも１つのグループに分類して移動端末に表示してもよい。
【００２０】
また、前記整列部は、前記表示されたグループのうち選択されたグループに属するコンテンツにマッチングしたレイヤを整列し、前記整列したレイヤを前記移動端末に表示してもよい。
【００２１】
また、前記整列部は、前記レイヤに対するユーザの操作に基づいて前記レイヤを再整列し、前記再整列したレイヤを移動端末に表示してもよい。
【００２２】
また、前記マッチング部は、前記複数のレイヤを多面体を構成する複数の面の各面にマッチングして、前記マッチングされた複数のレイヤに前記複数のコンテンツをそれぞれマッチングしてもよい。
【００２３】
また、前記整列部は、移動端末の動きに基づいて前記複数の面の各面にマッチングしたレイヤを再整列してもよい。
【００２４】
本発明の一実施形態に係るコンテンツ表示方法は、複数のコンテンツ中の各コンテンツを複数のレイヤにマッチングするステップと、前記複数のコンテンツ中の各コンテンツに対して決定されたランキングによって前記複数のレイヤを整列するステップと、前記整列した複数のレイヤを移動端末に表示するステップとを含んでもよい。
【００２５】
また、前記整列するステップは、上位ランキングに位置するコンテンツが下位ランキングに位置するコンテンツよりもユーザに見えやすいように前記複数のレイヤを奥行があるように整列してもよい。
【００２６】
また、前記表示するステップは、前記複数のコンテンツをコンテンツ属性によって分類された少なくとも１つのグループとして表示してもよい。
【００２７】
また、前記整列するステップは、前記表示されたグループのうち選択されたグループに属するコンテンツにマッチングしたレイヤを整列してもよい。
【００２８】
また、前記整列するステップは、前記コンテンツに対する入札価格、人気度およびユーザ注目度のうち少なくとも１つに基づいて決定されたランキングによって前記複数のレイヤを整列してもよい。
【００２９】
また、前記整列するステップは、前記レイヤに対するユーザの操作に基づいて前記レイヤを再整列してもよい。そこで、前記表示ステップは、前記再整列したレイヤを移動端末に表示してもよい。
【００３０】
また、前記マッチングするステップは、前記複数のレイヤを多面体を構成する複数の面の各面にマッチングして、前記マッチングされた複数のレイヤに前記複数のコンテンツをそれぞれマッチングしてもよい。
【００３１】
また、前記整列するステップは、移動端末の動きに基づいて前記複数の面の各面にマッチングしたレイヤを再整列してもよい。そこで、前記表示するステップは、前記再整列したレイヤを移動端末に表示してもよい。
【００３２】
本発明の一実施形態に係る移動端末で実行されるプログラムを提供するコンテンツ提供システムにおいて、前記プログラムは複数のコンテンツ中の各コンテンツを複数のレイヤにマッチングして、前記複数のコンテンツ中の各コンテンツに対して決定されたランキングによって前記複数のレイヤを整列することを特徴とし、前記移動端末は前記整列した複数のレイヤを表示してもよい。
【００３３】
また、前記プログラムは、上位ランキングに位置するコンテンツが下位ランキングに位置するコンテンツよりもユーザに見えやすいように前記複数のレイヤを奥行があるように整列してもよい。
【００３４】
また、前記移動端末は、前記複数のコンテンツをコンテンツ属性によって分類された少なくとも１つのグループとして表示してもよい。
【００３５】
また、前記プログラムは、前記表示されたグループのうち選択されたグループに属するコンテンツにマッチングしたレイヤを整列してもよい。
【００３６】
また、前記プログラムは、前記レイヤに対するユーザの操作に基づいて前記レイヤを再整列してもよい。
【００３７】
また、前記プログラムは、前記複数のレイヤを多面体を構成する複数の面の各面にマッチングして、前記マッチングされた複数のレイヤに前記複数のコンテンツをそれぞれマッチングしてもよい。
【００３８】
また、前記プログラムは、移動端末の動きに基づいて前記複数の面の各面にマッチングしたレイヤを再整列してもよい。
【発明の効果】
【００３９】
本発明の一実施形態によれば、複数のコンテンツ中の各コンテンツを複数のレイヤにマッチングすることによって、移動端末に備えられた表示空間が狭くても複数のコンテンツの全てを効果的に表示することができる。
【００４０】
本発明の一実施形態によれば、情報が露出する複数のインベントリを複数のレイヤにマッチングすることによって、情報の量に関係なく露出しようとする情報を全て表示することができる。
【００４１】
本発明の一実施形態によれば、入札価格、ユーザ注目度、および人気度のうち少なくとも１つに基づいて複数のレイヤを整列することによって、入札価格、ユーザ注目度、および人気度のうち少なくとも１つが高い広告を低い広告よりもユーザに見えやすいように表示することができる。
【図面の簡単な説明】
【００４２】
【図１】本発明の一実施形態によって複数のコンテンツを表示する移動端末およびコンテンツ提供システムの全般的な構成を示す図である。
【図２】本発明の一実施形態に係るコンテンツ提供システムおよび移動端末の細部構成を示すブロック図である。
【図３】複数のコンテンツ中の各コンテンツを複数のレイヤにマッチングして表示する過程を説明するための図である。
【図４】複数のコンテンツ中の各コンテンツを複数のレイヤにマッチングして表示する過程を説明するための図である。
【図５】複数のグループを表示する過程を説明するための図である。
【図６】複数のグループを表示する過程を説明するための図である。
【図７】本発明の一実施形態に係る移動端末の動作を説明するためのフローチャートである。
【図８】本発明の一実施形態に係る移動端末の動作を説明するためのフローチャートである。
【図９】本発明の一実施形態に係る複数のレイヤにマッチングされた複数のコンテンツを多面体形状で表示する過程を説明するための図である。
【図１０】本発明の一実施形態によって複数のコンテンツ中の各コンテンツを複数のレイヤにマッチングおよび整列するコンテンツ提供システムの細部構成を示すブロック図である。
【図１１】本発明の一実施形態に係るコンテンツ提供システムで複数のコンテンツ中の各コンテンツを複数のレイヤにマッチングおよび整列する過程を説明するためのフローチャートである。
【発明を実施するための形態】
【００４３】
以下、本発明の実施形態を添付する図面を参照しながら詳細に説明する。
【００４４】
図１は、本発明の一実施形態によって複数のコンテンツを表示する移動端末およびコンテンツ提供システムの全般的な構成を示す図である。
【００４５】
図１を参照すると、コンテンツ提供システム１０は、移動端末２０から受信した検索語に該当する複数のコンテンツを移動端末２０に提供してもよい。ここで、移動端末２０は、複数のコンテンツ中の各コンテンツを複数のレイヤにマッチングして、複数のレイヤを奥行があるように整列してディスプレイ２１に表示してもよい。一例として、図３のように、ディスプレイ２１には複数のコンテンツを３次元形態で奥行があるように整列して表示してもよい。
【００４６】
このとき、コンテンツ提供システム１０と移動端末２０は、有線および無線通信ネットワークを用いて通信を行うことができる。ここで、移動端末２０は、スマートフォン、ＤＭＢフォン、ナビゲーション（Ｎａｖｉｇａｔｉｏｎ）システム、ネットブック（Ｎｅｔ
Ｂｏｏｋ）等のインターネットが可能な端末システムとすることができる。そして、コンテンツ提供システム１０は、移動端末２０を介してユーザが要求する情報を提供するポータルサイトなどの中央サーバとすることができる。
【００４７】
図２は、本発明の一実施形態に係るコンテンツ提供システムおよび移動端末の細部構成を示すブロック図である。
【００４８】
図２を参照すると、コンテンツ提供システム２００は、グループ分類部２１０、コンテンツデータベース２２０、ランキング決定部２３０、検索語受信部２４０および検索結果提供部２５０を含んでもよい。そして、移動端末１００は、ユーザ操作部１１０、マッチング部１２０、整列部１３０、およびディスプレイ部１４０を含んでもよい。以下では、移動端末１００の構成要素を説明しながらコンテンツ提供システム２００の構成要素を併せて説明することにする。
【００４９】
まず、ユーザ操作部１１０はユーザから検索語の入力を受けて、ディスプレイ部１４０に表示される複数のレイヤのうちいずれか１つのレイヤを選択するためのユーザの操作を提供してもよい。このとき、ユーザ操作部１１０は、キーボタン、タッチパッド、タッチスクリーンなどで移動端末の機能を制御することにより実現することができる。
【００５０】
一例として、ユーザがユーザ操作部１１０を介してポータルサイトに接続して検索語を入力した場合、ユーザ操作部１１０は検索語をコンテンツ提供システム２００に送信してもよい。ここで、検索語結果提供部２５０は、検索語受信部２４０を介して受信された検索語に該当する検索結果をコンテンツデータベース２２０から抽出して移動端末１００に送信してもよい。このとき、検索語結果提供部２５０は、検索語に該当する複数のコンテンツがグループ化された場合、複数のコンテンツが属する複数のグループを移動端末１００に送信してもよい。
【００５１】
マッチング部１２０は、コンテンツ提供システム２００から受信した複数のコンテンツ中の各コンテンツを複数のレイヤにマッチングしてもよい。そこで、複数のコンテンツは、複数のレイヤとそれぞれ一対一にマッチングしてもよい。すなわち、１つのレイヤに１つのコンテンツがマッチングされることによって、ディスプレイ部１４０に表示されるレイヤが変更される際に、表示されるコンテンツが共に変更されてもよい。これに対する詳しい説明は後述することにする。
【００５２】
このとき、コンテンツは、検索語（ｋｅｙｗｏｒｄ）に対応する検索結果を含んでもよい。一例として、検索語が不動産の場合、不動産広告、不動産関連記事、不動産関連文書、地図（ｍａｐ）における不動産の位置などが検索結果であってもよい。
【００５３】
また、コンテンツは、情報が露出するインベントリ（ｉｎｖｅｎｔｏｒｙ）を含んでもよい。このとき、インベントリとは、ウェブページ上にショッピング、ニュース、天気、ブログ、辞書などのようなカテゴリーに基づいて各カテゴリーに属するコンテンツが露出される空間を意味する。
【００５４】
一方、マッチング部１２０は、複数のコンテンツがグループ化された場合、表示された複数のグループのうち選択されたグループに属する複数のコンテンツ中の各コンテンツを複数のレイヤにマッチングしてもよい。ここで、コンテンツ提供システムのグループ分類部２１０は、コンテンツデータベース２２０に格納された複数のコンテンツをグループに分類してもよい。
【００５５】
このとき、グループ分類部２１０は、複数のコンテンツをコンテンツ属性（ｐｒｏｐｅｒｔｙ）によって少なくとも１つのグループに分類してもよい。一例として、コンテンツ属性として広告属性が用いられる場合、グループ分類部２１０はコンテンツのクリック数、露出数、またはＣＴＲ（Ｃｌｉｃｋ  Ｔｏ  Ｒａｔｅ）によって課金（ｃｈａｒｇｅ）されるかを示す広告属性によって、複数のコンテンツを少なくとも１つのグループに分類してもよい。他の例として、コンテンツ属性でカテゴリーが用いられる場合、グループ分類部２１０は複数のコンテンツ中の各コンテンツのカテゴリーに基づいて複数のコンテンツをショッピング、ニュース、天気、グルメレストランなどのようなグループに分類してもよい。
【００５６】
ディスプレイ部１４０は、分類されたグループを表示してもよい。このとき、ディスプレイ部１４０は、ユーザ操作部１１０を介して入力された検索語に対応するコンテンツが属するグループを表示してもよい。
【００５７】
一例として、ディスプレイ部１４０は、図５のように、分類されたグループを２次元（２Ｄ）形態で表示してもよい。
【００５８】
他の例として、ディスプレイ部１４０は、図６のように、分類されたグループを３次元（３Ｄ）の形態で表示することもできる。このとき、マッチング部１２０は、複数のグループをそれぞれ複数のレイヤにマッチングしてもよい。そこで、整列部１３０は、複数のレイヤそれぞれのランキング（ｒａｎｋｉｎｇ）に基づいてマッチングした複数のレイヤを奥行があるように整列してもよい。    
【００５９】
一例として、ユーザが移動端末１００を傾けた場合に、傾きに応じてレイヤの他の部分を移動端末１００のディスプレイ部１４０を介して表示してもよい。このような傾きは、移動端末１００に備えられた重力センサを介して測定してもよい。すなわち、移動端末１００を正面から眺めるときには見えなかったレイヤを、ユーザが移動端末１００を傾けた場合に、傾きに応じて見えなかったレイヤを表示してもよい。ユーザは、移動端末１００そのものを動かすことによって奥行があるように表示されたレイヤをより動的に操作してもよい。
【００６０】
このとき、移動端末が左、右、上、又は下に動いた場合、整列部１３０は移動端末の動きに基づいて多面体を構成する複数の面の各面にマッチングしたレイヤを再整列してもよい。一例として、図９を参照すると、移動端末が左側に回転した場合、整列部１３０はレイヤ２（９２０）が最もユーザに見えやすいようにレイヤを再整列してもよい。これにより、ディスプレイ部１４０の正面にはレイヤ１（９１０）でレイヤ２（９２０）を表示してもよい。このように、移動端末の上、下、左、右回転に対応して多面体が回転９７０に従って回転することによって、ディスプレイ部１４０の正面に表示されるレイヤが変更されてもよい。
【００６１】
ディスプレイ部１４０は、整列した複数のレイヤを表示してもよい。一例として、図６を参照すると、複数のグループのうちグループ１のランキングが最も高い場合、ディスプレイ部１４０はグループ１にマッチングしたレイヤ６１０が残りの各グループにマッチングしたレイヤ６２０、６３０よりもユーザに見えやすいように表示してもよい。ここで、残りのグループは、複数のグループからグループ１（６１０）を除く少なくとも１つのグループを含んでもよい。このとき、ディスプレイ部１４０は、グループ１にマッチングしたレイヤ６１０がユーザに見えやすいようにするために、ディスプレイ部１４０の画面全体において、グループ１にマッチングしたレイヤ６１０を残りの複数のレイヤより広い空間に表示してもよい。
【００６２】
一方、表示されたグループのうちユーザの操作に基づいていずれか１つのグループが選択された場合、整列部１３０は、図３に示すように、選択されたグループに属する複数のコンテンツ中の各コンテンツにマッチングされた複数のレイヤを奥行があるように整列してもよい。そして、ディスプレイ部１４０は、図３に示される奥行があるように整列した複数のレイヤを、図４に示すような形態で表示してもよい。このとき、整列部１３０はコンテンツ提供システム２００で決定されたコンテンツのランキングによって複数のレイヤを整列してもよい。そこで、ディスプレイ部１４０は、整列した複数のレイヤを表示してもよい。
【００６３】
この場合、コンテンツ提供システム２００は、３次元形態で表現されたコンテンツをＨＴＭＬとＣＳＳが結合されたフォーマッタ（ｆｏｒｍａｔｔｅｒ）を介してファイルとして移動端末１００に提供する。そこで、移動端末１００のブラウザは、当該ファイルに基づき、フォーマッタを解釈してレンダリングすることによってディスプレイ部１４０に表示してもよい。このとき、ブラウザは、３次元データを表現するためのＷｅｂＧＬとＨＴＭＬ５を支援するブラウザであってもよい。
【００６４】
一例として、図４を参照すると、整列部１３０は選択されたグループに属する複数のコンテンツのうちでランキングが最も高いコンテンツにマッチングしたレイヤ４１０が残りのコンテンツにマッチングしたレイヤ４２０、４３０よりもユーザに見えやすいように複数のレイヤを奥行があるように整列してもよい。ここで、残りのコンテンツは複数のコンテンツのうちのランキングが最も高いコンテンツを除く少なくとも１つのコンテンツを含んでもよい。
【００６５】
このとき、コンテンツのランキングは、コンテンツに対する入札価格、人気度、およびユーザ注目度のうち少なくとも１つに基づいて決定してもよい。
【００６６】
一例として、ランキング決定のために入札価格が用いられる場合、ランキング決定部２３０は、複数のコンテンツのうちの入札価格が高い順に複数のコンテンツ中の各コンテンツのランキングを最上位から最下位まで決定してもよい。そこで、整列部１３０は、上位ランキングに位置するコンテンツが下位ランキングに位置するコンテンツよりもユーザに見えやすいように複数のレイヤを奥行があるように整列してもよい。そこで、ディスプレイ部１４０は、奥行があるように整列した複数のレイヤを表示してもよい。
【００６７】
このとき、最上位のランキングに位置するコンテンツにマッチングしたレイヤが残りのコンテンツにマッチングしたレイヤよりもユーザに見えやすいように整列するため、コンテンツ提供システム２００は、コンテンツを最上位のランキングに位置させようとする広告主のみを対象にして入札を行わせ、コンテンツの入札価格を広告主から受信してもよい。また、入札価格が最も高いコンテンツを最上位のランキングに位置するよう決定してもよい。このとき、最上位のランキングに位置しようとするコンテンツのうち、最上位のランキングに決定されたコンテンツを除く残りのコンテンツについては、落札できなかったものとして、入札から脱落させてもよい。そこで、入札に脱落したコンテンツについては、表示しないものとして扱ってもよい。
【００６８】
他の例として、ランキング決定のために人気度、またはユーザ注目度が用いられる場合、ランキング決定部２３０は入札価格を用いる場合のように、人気度、またはユーザ注目度が高い順に複数のコンテンツ中の各コンテンツのランキングを最上位から最下位まで決定してもよい。そこで、整列部１３０は上位ランキングに位置するコンテンツが下位ランキングに位置するコンテンツよりもさらにユーザに見えやすいように複数のレイヤを奥行があるように整列してもよい。ここで、人気度は露出したコンテンツに対する複数のユーザの関心尺度として、コンテンツ提供システム２００はコンテンツのクリック数、評点、ＣＴＲ、または、コメント数を用いてコンテンツの人気度を決定してもよい。
【００６９】
そして、ユーザ注目度は、移動端末１００を用いるユーザのプロファイルのうちの、ユーザが検索するコンテンツの検索回数をカウントして決定してもよい。一例として、コンテンツ提供システムは、ユーザがコンテンツを繰り返し検索する度にコンテンツの検索回数をカウントして、カウント結果をコンテンツのユーザ注目度として利用してもよい。ここで、カウント結果が高いほどユーザ注目度が高く、カウント結果が低いほどユーザ注目度が低いことを意味する。
【００７０】
一方、整列部１３０は、ユーザの操作に基づいて、表示された複数のレイヤまたは複数のグループを奥行があるように再整列してもよい。そして、ディスプレイ部１４０は再整列された複数のレイヤまたは複数のグループを表示してもよい。このとき、整列部１３０はスクロールまたは、ドラッグアンドドロップを用いて複数のレイヤまたは複数のグループを再整列してもよい。
【００７１】
一例として、図４を参照すると、ユーザがオブジェクトを用いて最上位ランキングに位置するコンテンツにマッチングしたレイヤ４１０を左側にスクロール（ｓｃｒｏｌｌ）４４０した場合、整列部１３０は２番目にランキングの高いコンテンツとマッチングした後に、レイヤ４２０が残りのレイヤ４１０、４３０よりもユーザに見えやすいように複数のレイヤを奥行があるように再整列してもよい。
【００７２】
一例として、ユーザが移動端末１００を傾けた場合に、傾きに応じてレイヤの他の部分を移動端末１００のディスプレイ部１４０を介して表示してもよい。このような傾きは、移動端末１００に備えられた重力センサを介して測定してもよい。すなわち、移動端末１００を正面から眺める時は、見えなかったレイヤをユーザが移動端末１００を傾けた場合に、傾きに応じて見えなかったレイヤを表示してもよい。ユーザは、移動端末１００そのものを動かすことによって奥行があるように表示されたレイヤをより動的に操作することができる。
【００７３】
このとき、移動端末が左、右、上、又は下に動いた場合、整列部１３０は移動端末の動きに基づいて多面体を構成する複数の面の各面にマッチングしたレイヤを再整列してもよい。一例として、図９を参照すると、移動端末が左側に回転した場合、整列部１３０はレイヤ２（９２０）が最もユーザに見えやすいようにレイヤを再整列してもよい。これにより、ディスプレイ部１４０の正面にはレイヤ１（９１０）でレイヤ２（９２０）を表示してもよい。このように、移動端末の上、下、左、右回転に対応して多面体が回転９７０に従って回転することによって、ディスプレイ部１４０の正面に表示されるレイヤが変更されてもよい。
【００７４】
図４を参照すると、同一の方法で、オブジェクトを用いて２番目にランキングの高いコンテンツとマッチングされたレイヤ４２０を右側にスクロールした場合、整列部１３０は以前に最上位のランキングコンテンツにマッチングされたレイヤ４１０が残りのレイヤ４２０、４３０よりもユーザに見えやすいように複数のレイヤを奥行があるように再整列してもよい。そこで、ディスプレイ部１４０は再整列された複数のレイヤを表示してもよい。このとき、複数のレイヤは左側および右側方向だけでなく、上向き、下向き、左上向き対角線、左下向き対角線、右上向き対角線、右下向き対角線方向にスクロールするようにしてもよい。そして、ディスプレイ部１４０は、現在のコンテンツから選択されたコンテンツまでの並びに位置する各コンテンツにマッチングしたレイヤがスクロール方向に回転または移動するグラフィック効果を有して表示されてもよい。
【００７５】
他の例として、図４のように、最上位のランキングに位置するコンテンツとマッチングされたレイヤ４１０が、残りのレイヤ４２０よりもユーザに見えやすいように表示される状態において、オブジェクトを用いて３番目のランキングに位置するコンテンツとマッチングされたレイヤ４３０がさらにユーザに見えやすいよう移動するためにドラッグアンドドロップされた場合、整列部１３０は、３番目のランキングに位置するコンテンツとマッチングされたレイヤ４３０が最上位のランキングに位置するコンテンツおよび２番目のランキングに位置するコンテンツとそれぞれマッチングされたレイヤ４１０、４２０よりもユーザに見えやすいように複数のレイヤを奥行があるように再整列してもよい。このとき、整列部１３０は、最上位のランキングに位置するコンテンツおよび２番目のランキングに位置するコンテンツとそれぞれマッチングされたレイヤ４１０、４２０を３番目のランキングに位置するコンテンツとマッチングされたレイヤの次に位置するように再整列してもよい。そして、ディスプレイ部１４０は、再整列された複数のレイヤを表示してもよい。
【００７６】
以上では、図４を参照して選択されたグループに属する複数のレイヤを奥行があるように整列および再整列して表示する過程について説明した。その他、マッチング部１２０は、複数の各レイヤを多面体を構成する複数の面の各面とマッチングしてもよい。ここで、複数のレイヤは、選択されたグループに属する複数のコンテンツ中の各コンテンツがマッチングされたレイヤを意味する。
【００７７】
一例として、図９を参照すると、マッチング部１２０は複数の各レイヤを立方体（Ｃｕｂｅ）形態の正六面体の各面にマッチングしてもよい。そして、マッチング部１２０は、各面にマッチングされた複数のレイヤに複数のコンテンツをそれぞれマッチングしてもよい。すなわち、正六面体の各面に複数のコンテンツをマッチングしてもよい。
【００７８】
このとき、整列部１３０は、複数のコンテンツ中の各コンテンツのランキングによって複数のコンテンツを整列してもよい。一例として、整列部１３０は、ランキングが最も高いコンテンツが最もユーザに見えやすいように整列してもよい。すなわち、レイヤ１（９１０）のランキングが最も高い場合、レイヤ１（９１０）を正六面体の正面に整列してもよい。
【００７９】
図７および図８は、本発明の一実施形態に係る移動端末の動作を説明するためのフローチャートである。
【００８０】
まず、ステップＳ７１０において、グループ分類部２１０は、複数のコンテンツをコンテンツ属性によって複数のグループに分類してもよい。このとき、コンテンツの属性は、広告属性およびカテゴリーを含んでもよい。
【００８１】
一例として、広告属性が用いられる場合、グループ分類部２１０は、コンテンツのクリック数、露出数、またはＣＴＲ（Ｃｌｉｃｋ  Ｔｏ  Ｒａｔｅ）によって課金（ｃｈａｒｇｅ）されるかを示す広告属性によって複数のコンテンツを少なくとも１つのグループに分類してもよい。
【００８２】
他の例として、カテゴリーが用いられる場合、グループ分類部２１０は、複数のコンテンツ中の各コンテンツのカテゴリーに基づいて複数のコンテンツをショッピング、ニュース、天気、グルメレストランなどのグループに分類してもよい。
【００８３】
次に、ステップＳ７２０において、検索語受信部２４０は、移動端末１００からユーザが入力した検索語を受信してもよい。そこで、検索結果提供部２５０は、コンテンツデータベース２２０を参照して、受信された検索語に該当するグループを移動端末１００に送信してもよい。
【００８４】
そして、ステップＳ７３０において、ディスプレイ部１４０は、受信された検索語に該当する複数のグループを表示してもよい。一例として、ディスプレイ部１４０は、図５のように、２次元の形態で複数のグループを表示してもよく、図６のように、３次元の形態で複数のグループを表示してもよい。
【００８５】
このとき、３次元の形態で複数のグループを表示する場合、マッチング部１２０は複数のグループをそれぞれ複数のレイヤにマッチングしてもよい。そして、整列部１３０は複数のグループの各グループに対して決定されたランキングによって複数のレイヤを奥行があるように整列してもよい。そこで、ディスプレイ部１４０は、奥行があるように整列した複数のレイヤを表示してもよい。
【００８６】
次に、ステップＳ７４０において、マッチング部１２０は表示された複数のグループを対象に、グループに属する複数のコンテンツ中の各コンテンツを複数のレイヤにマッチングしてもよい。このとき、コンテンツは検索語（ｋｅｙｗｏｒｄ）に対応する検索結果、または、情報が露出するインベントリ（ｉｎｖｅｎｔｏｒｙ）を含んでもよい。
【００８７】
一例として、コンテンツが検索結果を含む場合、検索語として入力された「不動産」に対する検索結果の不動産広告、不動産関連記事、不動産関連文書、地図（ｍａｐ）における不動産の位置などがコンテンツであってもよい。
【００８８】
他の例として、コンテンツがインベントリを含む場合、ウェブページ上にショッピング、ニュース、天気、ブログ、辞書などのようなカテゴリーに基づいて各カテゴリーに属する文書、写真、動画、記事、音楽ファイルなどがコンテンツとなってもよい。ここで、インベントリは、ウェブページ上におけるショッピング、ニュース、天気、ブログ、辞書などのようなカテゴリーに属する複数のコンテンツが露出される空間である。
【００８９】
そして、ステップＳ７５０において、グループが選択された場合、ステップＳ７６０において、整列部１３０は選択されたグループに属する複数のコンテンツ中の各コンテンツにマッチングされた複数のレイヤをランキングによって整列してもよい。
【００９０】
一例として、整列部１３０は表示された複数のグループのうち選択されたグループに属する複数のコンテンツ中の各コンテンツにマッチングされた複数のレイヤをコンテンツのランキングによって整列してもよい。ここで、表示された複数のグループは、ステップＳ７３０で２次元または３次元の形態で表示されたグループである。
【００９１】
このとき、整列部１３０は、ランキング決定部２３０で入札価格、人気度、およびユーザ注目度のうち少なくとも１つに基づいて決定された複数のコンテンツ中の各コンテンツのランキングを用いて複数のレイヤを整列してもよい。整列部１３０は、上位ランキングに位置するコンテンツが下位ランキングに位置するコンテンツよりもユーザに見えやすいように複数のレイヤを奥行があるように整列してもよい。一例として、図４のように、整列部１３０は最上位のランキングに位置するコンテンツ４１０が最上位より低いランキングに位置するコンテンツ４２０、４３０よりもユーザに見えやすいように複数のレイヤを整列してもよい。そこで、ディスプレイ部１４０は整列したコンテンツを表示してもよい。
【００９２】
このとき、ステップＳ７７０において、ユーザ操作部１１０がユーザの操作を受信すると、ステップＳ７８０において、整列部１３０は表示された複数のレイヤを再整列してもよい。そして、ディスプレイ部１４０は再整列したレイヤを表示してもよい。
【００９３】
一例として、図４に示されるような、ユーザがオブジェクトを用いて最上位のランキングコンテンツにマッチングしたレイヤ４１０を上、下、左、右、左上向き対角線、左下向き対角線、右上向き対角線、または、右下向き対角線方向にスクロール（４４０）した場合、整列部１３０はスクロールによって選択されたコンテンツが残りのコンテンツよりもユーザに見えやすいように複数のレイヤを再整列してもよい。このとき、ディスプレイ部１４０は、現在のコンテンツから選択されたコンテンツ前までの各コンテンツにマッチングしたレイヤがスクロール方向に回転または移動するグラフィック効果を表示してもよい。すなわち、ディスプレイ部１４０は、回転または移動する形をグラフィック処理して表示してもよい。
【００９４】
図７では、ユーザ操作部１１０を介して入力された検索語の検索結果として複数のコンテンツ中の各コンテンツを複数のレイヤにマッチングして奥行があるように表示することについて説明した。以下の図８ではインベントリがコンテンツで用いられる場合、複数のコンテンツの各コンテンツをそれぞれ複数のレイヤにマッチングして奥行があるように表示することについて説明することにする。
【００９５】
図８を参照すると、ステップＳ８１０において、マッチング部１２０は情報が露出する複数の各インベントリを複数のレイヤにマッチングしてもよい。一例として、ユーザが移動端末１００を介してポータルサイトに接続した場合、マッチング部１２０はポータルサイトのウェブページ上に表示されるニュース、辞書、天気、ブログ情報などが位置する各インベントリを複数のレイヤにマッチングしてもよい。
【００９６】
次に、ステップＳ８２０において、整列部１３０は、複数の各インベントリのランキングに基づいて複数のレイヤを整列してもよい。このとき、ランキング決定部２３０は複数の各インベントリの課金情報に基づいて複数の各インベントリのランキングを決定してもよい。そこで、整列部１３０は決定されたランキングによって複数のレイヤを整列してもよい。一例として、整列部１３０は最上位のランキングに位置するインベントリにマッチングしたレイヤが残りのレイヤよりもユーザに見えやすいように整列してもよい。
【００９７】
そして、ステップＳ８３０において、整列部１３０は整列した複数のレイヤを表示してもよい。
【００９８】
次に、ステップＳ８４０において、ユーザ操作部１１０はオブジェクトを利用したユーザの操作が検出されれば、ステップＳ８５０において、整列部１３０はユーザの操作に基づいて複数のレイヤを再整列してもよい。そこで、ディスプレイ部１４０は再整列された複数のレイヤを表示してもよい。
【００９９】
一例として、整列部１３０はスクロール、または、ドラッグアンドドロップなどのユーザの操作によって選択されたレイヤが残りのレイヤよりもユーザに見えやすいように複数のレイヤを再整列してもよい。複数のレイヤを再整列して表示する構成は前で説明したＳ７７０およびステップＳ７８０と同一であるため重複する説明は省略することにする。
【０１００】
図６および図７を参照して、オブジェクトを用いて複数のコンテンツにマッチングされた複数のレイヤを奥行があるように再整列することについて上述したが、整列部１３０は複数のレイヤを再整列する方法と同一の方法で複数のグループを奥行があるように再整列してもよい。換言すれば、整列部１３０は複数のグループにそれぞれマッチングされた複数のレイヤを上、下、左、右、対角線方向にスクロールして再整列してもよい。また、整列部１３０は複数のグループにそれぞれマッチングされた複数のレイヤのうちオブジェクトを用いてドラッグアンドドロップされたレイヤが残りのレイヤよりもユーザに見えやすいように複数のレイヤを再整列してもよい。そこで、ディスプレイ部１４０は再整列された複数のレイヤを表示してもよい。
【０１０１】
一方、本発明の一実施形態に係るコンテンツ表示方法および移動端末は、移動端末の動きを検出し、検出された動きを反映して複数のレイヤを表示してもよい。一例として、移動端末１００の予め設定された基準点と法線方向にユーザの視線が位置する状態で移動端末１００が左側で１５度傾いた場合、ディスプレイ部１４０は移動端末１００の移動距離、移動角度、および移動速度を用いて複数の各レイヤを左側で１５度回転して表示してもよい。そして、ディスプレイ部１４０は複数のレイヤそれぞれの左側横面より右側横面がユーザに見えやすいように整列して表示してもよい。このとき、移動端末１００はジャイロセンサ、加速度センサ、および角速度センサを用いて移動距離、移動角度、および移動速度を獲得してもよい。
【０１０２】
図７および図８では、選択されたグループに属する複数のレイヤを奥行があるように整列および再整列して表示する過程について説明した。その他、マッチング部１２０は複数の各レイヤを立方体などの多面体を構成する複数の面の各面とマッチングしてもよい。ここで、複数のレイヤは、選択されたグループに属する複数のコンテンツ中の各コンテンツがマッチングされたレイヤを意味する。
【０１０３】
そこで、整列部１３０は複数のコンテンツ中の各コンテンツのランキングによって複数のコンテンツを整列し、ディスプレイ部１４０は整列したコンテンツを表示してもよい。一例として、図９を参照すると、ディスプレイ部１４０は正六面体を構成する各面にマッチングされた複数のコンテンツを表示してもよい。
【０１０４】
このとき、移動端末が左、右、上、又は下に動いた場合、整列部１３０は移動端末の動きに基づいて多面体を構成する複数の面の各面にマッチングしたレイヤを再整列してもよい。一例として、図９を参照すると、移動端末が左側に回転した場合、整列部１３０はレイヤ２（９２０）が最もユーザに見えやすいようにレイヤを再整列してもよい。これにより、ディスプレイ部１４０の正面にはレイヤ１（９１０）でレイヤ２（９２０）を表示してもよい。同一の方法で、移動端末の上、下、左、右回転に対応して多面体が回転９７０に従って回転することによって、ディスプレイ部１４０の正面に表示されるレイヤが変更されてもよい。
【０１０５】
以下では、コンテンツ提供システムで複数のコンテンツ中の各コンテンツを複数のレイヤにマッチングおよび整列し、整列した複数のレイヤを移動端末に表示する過程に対して説明することにする。
【０１０６】
図１０は、本発明の一実施形態によって複数のコンテンツ中の各コンテンツを複数のレイヤにマッチングおよび整列するコンテンツ提供システムの細部構成を示すブロック図である。
【０１０７】
図１０を参照すると、コンテンツ提供システム１０００は、グループ分類部１０１０、コンテンツデータベース１０２０、ランキング決定部１０３０、検索語受信部１０４０、マッチング部１０５０、整列部１０６０を含んでもよい。図１０で、グループ分類部１０１０、コンテンツデータベース１０２０、ランキング決定部１０３０、および検索語受信部１０４０の動作は、上の図２と同一であるため、重複する説明は省略することにする。
【０１０８】
マッチング部１０５０は、検索語受信部１０４０を介して受信された検索語に該当する複数のコンテンツ中の各コンテンツを複数のレイヤにマッチングしてもよい。このとき、マッチング部１０５０は、検索語に該当する複数のグループのうち選択されたグループに属する複数のコンテンツ中の各コンテンツを複数のレイヤにマッチングしてもよい。ここで、コンテンツは、検索語（ｋｅｙｗｏｒｄ）に対応する検索結果、または、情報が露出するインベントリ（ｉｎｖｅｎｔｏｒｙ）を含んでもよい。
【０１０９】
一例として、整列部１０６０は、グループ分類部１０１０で分類された少なくとも１つのグループを移動端末２０００のディスプレイ部２０１０に表示してもよい。このとき、グループ分類部１０１０は、複数のコンテンツをコンテンツ属性によって少なくとも１つのグループに分類してコンテンツデータベース１０２０に格納してもよい。そこで、マッチング部１０５０は、移動端末２０００に表示されたグループのうち選択されたグループに属する複数のコンテンツ中の各コンテンツを複数のレイヤにマッチングしてもよい。
【０１１０】
より詳しくは、マッチング部１０５０は、図９のように、複数のレイヤを多面体を構成する複数の面の各面にマッチングしてもよい。そして、マッチング部１０５０は、マッチングされた複数のレイヤに複数のコンテンツをそれぞれマッチングしてもよい。これにより、多面体を構成する複数の面には複数のコンテンツがそれぞれマッチングされる。
【０１１１】
整列部１０６０は、複数のコンテンツ中の各コンテンツに対して決定されたランキングによって複数のレイヤを整列してもよい。そして、整列部１０６０は、整列した複数のレイヤを移動端末のディスプレイ部２０１０に３次元の形態で表示してもよい。
【０１１２】
一例として、整列部１０６０は、図４のように複数のレイヤをランキングによって奥行があるように整列してもよい。これにより、上位ランキングに位置するコンテンツが下位ランキングに位置するコンテンツよりもユーザに見えやすいように整列してもよい。このとき、整列部１０６０は、コンテンツに対する入札価格、人気度およびユーザ注目度のうち少なくとも１つに基づいて決定されたランキングによって複数のレイヤを整列してもよい。
【０１１３】
他の例として、図９のように、レイヤ１にマッチングされたコンテンツのランキングが最も高い場合、整列部１０６０はレイヤ１（９１０）がランキングが低いレイヤよりもさらにユーザに見えやすいように整列してもよい。すなわち、整列部１０６０は、ディスプレイ部１４０に表示される複数の面のうち画面の多くの領域を使用して表示される面に上位ランキングのコンテンツが表示されるように複数のレイヤを整列してもよい。
【０１１４】
また、整列部１０６０は、移動端末２０００に表示されたレイヤに対するユーザの操作に基づいてレイヤを再整列してもよい。そして、整列部１０６０は、再整列したレイヤを移動端末のディスプレイ部２０１０に表示してもよい。
【０１１５】
一例として、ユーザの手、ポインタなどのオブジェクト（ｏｂｊｅｃｔ）を用いて、表示されたレイヤを上、下、左、又は右などの方向にスクロールした場合、整列部１０６０は表示された複数のレイヤのうちスクロールによって選択されたレイヤが残りのレイヤよりもユーザに見えやすいように複数のレイヤを奥行があるように再整列してもよい。
【０１１６】
他の例として、整列部１０６０は、移動端末２０００の動きに基づいて多面体を構成する複数の面の各面にマッチングしたレイヤを再整列してもよい。すなわち、図９に示される多面体において、ユーザが移動端末２０００を動かして下方向に傾けた場合、整列部１０６０はレイヤ５（９５０）が正面に位置するようにレイヤを回転して再整列してもよい。すなわち、整列部１０６０はレイヤ５（９５０）が元のレイヤ１（９１０）の場所に位置し、レイヤ１（９１０）は元のレイヤ６（９６０）の場所に位置し、レイヤ６（９６０）は元のレイヤ３（９３０）の場所に位置し、レイヤ３（９３０）は元のレイヤ５（９５０）の場所に位置するように複数のレイヤを再整列してもよい。そして、整列部１０６０は再整列したレイヤを移動端末のディスプレイ部２０１０に表示してもよい。
【０１１７】
すなわち、ユーザが移動端末２０００を傾けた場合に、傾きに対応してレイヤの他の部分または傾ける前には見えなかったレイヤを移動端末２０００のディスプレイ２０１０を介して表示してもよい。このような傾きは、移動端末２０００に備えられた重力センサを介して測定してもよい。すなわち、移動端末２０００を正面から眺める時は、見えなかったレイヤの特定の部分でも見えなかったレイヤをユーザが移動端末２０００を傾けた場合に、傾きに応じて表示してもよい。ユーザは、移動端末２０００そのものを動かすことによって奥行があるように表示されたレイヤをより動的に操作することができる。
【０１１８】
同一の方法で、移動端末２００が左側、右側、上側、又は下側に回転または傾いた場合、整列部１０６０は回転または傾いた方向に対応して多面体が回転するように複数のレイヤを再整列してもよい。
【０１１９】
また、本発明の一実施形態に係る移動端末２０００は、コンテンツ提供システム１０００が提供するプログラムを実行してもよい。このとき、プログラムは複数のコンテンツ中の各コンテンツを複数のレイヤにマッチングさせ、複数のコンテンツ中の各コンテンツに対して決定されたランキングによって前記複数のレイヤを整列してもよい。そこで、移動端末は整列した複数のレイヤをディスプレイ２０１０に表示してもよい。
【０１２０】
この場合、コンテンツ提供システム１０００は、３次元の形態で表現されたコンテンツをＨＴＭＬとＣＳＳが結合されたフォーマッタを介してファイル形式で移動端末２０００に提供する。そこで、移動端末２０００のブラウザは、フォーマッタを解釈してレンダリングすることによってコンテンツをディスプレイ２０１０に表示してもよい。このとき、ブラウザは３次元データを表現するためのＷｅｂＧＬとＨＴＭＬ５を支援するブラウザであってもよい。
【０１２１】
図１１は、本発明の一実施形態に係るコンテンツ提供システムにおいて、複数のコンテンツ中の各コンテンツを複数のレイヤにマッチングおよび整列する過程を説明するために提供されるフローチャートである。図１１で、各ステップの動作を説明するにあたり、図７で説明したステップと重複する説明は省略することにする。
【０１２２】
ステップＳ１１１０において、グループ分類部１０１０は複数のコンテンツを少なくとも１つのグループに分類してもよい。ここで、コンテンツは検索語（ｋｅｙｗｏｒｄ）に対応する検索結果、または、情報が露出するインベントリ（ｉｎｖｅｎｔｏｒｙ）を含んでもよい。
【０１２３】
次に、ステップＳ１１２０において、ランキング決定部１０３０はグループに属する複数のコンテンツ中の各コンテンツのランキングを決定してもよい。一例として、ランキング決定部１０３０は、コンテンツに対する入札価格、人気度、およびユーザ注目度のうち少なくとも１つに基づいて複数のコンテンツ中の各コンテンツのランキングを決定しても
よい。
【０１２４】
そして、ステップＳ１１３０において、検索語受信部１０４０は移動端末２０００から検索語を受信してもよい。
【０１２５】
次に、ステップＳ１１４０において、整列部１０６０は受信された検索語に該当するグループを移動端末２０００に表示してもよい。
【０１２６】
このとき、ステップＳ１１５０において、マッチング部１０５０は各グループに属する複数のコンテンツ中の各コンテンツを複数のレイヤにマッチングしてもよい。
【０１２７】
そして、Ｓ１１６０およびステップＳ１１７０において、整列部１０６０は表示されたグループのうち選択されたグループに属するコンテンツにマッチングしたレイヤを移動端末２０００に表示してもよい。
【０１２８】
このとき、整列部１０６０は上位ランキングに該当するレイヤが低いランキングに該当するレイヤよりもユーザに見えやすいように整列してもよい。
【０１２９】
一例として、整列部１０６０は、図４のように、選択されたグループに属するコンテンツをランキングによって奥行があるように整列し、整列したコンテンツを移動端末２０００に表示してもよい。
【０１３０】
他の例として、整列部１０６０は、図９のように、多面体を構成する複数の面のうち上位ランキングのコンテンツにマッチングされた面が下位ランキングのコンテンツにマッチングされた面よりもさらにユーザに見えやすいようにレイヤを整列してもよい。
【０１３１】
このとき、Ｓ１１８０およびステップＳ１１９０において、ユーザの操作を受信すると、整列部１０６０はユーザの操作に基づいて表示された複数のレイヤを再整列し、再整列したレイヤを移動端末２０００に表示してもよい。
【０１３２】
一例として、ユーザがオブジェクトを用いて最上位のランキングコンテンツにマッチングしたレイヤを上、下、左、右、左上向き対角線、左下向き対角線、右上向き対角線、または、右下向き対角線方向にスクロール４４０した場合、整列部１０６０はスクロールによって選択されたコンテンツが残りのコンテンツよりもユーザに見えやすいように複数のレイヤを再整列してもよい。
【０１３３】
他の例として、ユーザの操作によって移動端末２０００が回転した場合、整列部１０６０は移動端末２０００の動きに基づいて表示された複数のレイヤを再整列し、再整列したレイヤを移動端末２０００に表示することもできる。換言すれば、移動端末が回転した方向に対応して多面体が回転するように複数のレイヤを再整列してもよい。これにより、回転によって選択された面にマッチングしたレイヤが残りのレイヤよりもユーザに見えやすいように再整列される。
【０１３４】
本発明に係る実施形態は、多様なコンピュータ手段によって実行されるプログラム命令の形態で実現され、コンピュータで読出し可能な媒体に記録されてもよい。前記記録媒体は、プログラム命令、データファイル、データ構造などを単独または組み合わせたものを含んでもよい。前記記録媒体及びプログラム命令は、本発明の目的のために特別に設計されて構成されたものでもよく、コンピュータソフトウェア分野の技術を有する当業者にとって公知のものであり使用可能なものであってもよい。
【０１３５】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【０１３６】
したがって、本発明の範囲は、開示された実施形態に限定されて定められるものではなく、特許請求の範囲及び特許請求の範囲と均等なものなどによって定められるものである。
【符号の説明】
【０１３７】
１００：移動端末
１１０：ユーザ操作部
１２０：マッチング部
１３０：整列部
１４０：ディスプレイ
１０００：コンテンツ提供システム
１０１０：グループ分類部
１０２０：コンテンツデータベース
１０３０：ランキング決定部
１０４０：検索語受信部
１０５０：マッチング部
１０６０：整列部
【図１】
0006438504.tif 000002
【図２】
0006438504.tif 000003
【図３】
0006438504.tif 000004
【図４】
0006438504.tif 000005
【図５】
0006438504.tif 000006
【図６】
0006438504.tif 000007
【図７】
0006438504.tif 000008
【図８】
0006438504.tif 000009
【図９】
0006438504.tif 000010
【図１０】
0006438504.tif 000011
【図１１】
0006438504.tif 000012